(57)【特許請求の範囲】
【請求項１】
避難所等に於ける段ボール製組立式多目的ボックスであって、
全周囲の側面を有し、天面及び底面が開放された断面略正方形の外枠と、
天面視で該外枠内を略正方形及び略二等辺三角形の空間に仕切る段ボール製の仕切板群と、を備え、
前記仕切板群は、天面視で前記外枠における対向する対角間を仕切る断面直線の板状である第１対角仕切板と、前記第１対角仕切板とは別の対向する対角間を仕切る断面直線の板状である第２対角仕切板と、前記外枠の４側面をなす４辺の略中点同士と接して天面視で断面略正方形の筒状をなす正方形仕切板とを有し、
前記第１対角仕切板、前記第２対角仕切板、及び前記正方形仕切板は、それぞれスリットにより噛み合わせて前記仕切板群に組立可能であり、また、各仕切板に分解可能であり、
前記正方形仕切板は、１枚の略長方形の段ボールの長手方向を断面略正方形に折り曲げるとともに、長手方向の端部における短手方向の端部から端部まで設けた糊代に糊付けして接着したことを特徴とする避難所等に於ける段ボール製組立式多目的ボックス。
【請求項２】
当該多目的ボックスに収納した前記仕切板群上に天板を置いたときに、前記外枠内に前記天板が収まるとともに、前記天板の天面と前記外枠の天面とが略面一となることを特徴とする請求項１に記載の避難所等に於ける段ボール製組立式多目的ボックス。
【請求項３】
前記請求項１又は２に記載の多目的ボックスを複数並べ、前記複数の多目的ボックスの上にベッド用床板をおいてベッドとすることを特徴とするベッド。
【発明の詳細な説明】
【技術分野】
【０００１】
本発明は、災害時等の緊急時に容易に組立てられ、また容易に分解可能な段ボール製の多目的ボックスに関するものである。
【背景技術】
【０００２】
災害時に体育館等の避難所に避難した際に、雑魚寝による血栓症や感染症の発症が原因となる災害関連死が増加しており、その対策としてベッドの導入が望ましい。また、長期に及ぶ避難になると、少しでも日常生活に近づけるために、さらに椅子や机が必要になってくる。
【０００３】
このときに、容易に組立てられ、また用済み後には容易に分解してコンパクトにまとめることができるベッド、椅子、又は机に応用可能な多目的な用具が求められている。さらに、環境面からリサイクル可能な段ボール素材が望ましい。
【０００４】
特許文献１には、組立が容易な段ボール製のベッドであって、断面菱形構造を有する仕切板群を用いた組み立て式ベッドが記載されている。
【先行技術文献】
【特許文献】
【０００５】
特許文献１：実用新案登録第３１８９２４２号公報
【発明の概要】
【発明が解決しようとする課題】
【０００６】
しかしながら、特許文献１に記載のものは、人が乗るなどして重い荷重を各仕切板が受けたときに仕切板の端部が折れ曲がりやすく、また断面菱形構造であるため、強度が弱いという問題がある。また、ベッド以外の椅子や机として利用することができないという問題もある。
【０００７】
本発明は、上記問題点を解決して、ベッド、椅子、又は机など多目的に利用可能で、強度的に優れた避難所等に於ける段ボール製組立式多目的ボックスを実現することを課題とする。
【課題を解決するための手段】
【０００８】
上記課題を解決するために本発明は、避難所等に於ける段ボール製組立式多目的ボックスであって、
全周囲の側面を有し、天面及び底面が開放された断面略正方形の外枠と、
天面視で該外枠内を略正方形及び略二等辺三角形の空間に仕切る段ボール製の仕切板群と、を備え、
前記仕切板群は、天面視で前記外枠における対向する対角間を仕切る断面直線の板状である第１対角仕切板と、前記第１対角仕切板とは別の対向する対角間を仕切る断面直線の板状である第２対角仕切板と、前記外枠の４側面をなす４辺の略中点同士と接して天面視で断面略正方形の筒状をなす正方形仕切板とを有し、
前記第１対角仕切板、前記第２対角仕切板、及び前記正方形仕切板は、それぞれスリットにより噛み合わせて前記仕切板群に組立可能であり、また、各仕切板に分解可能であり、
前記正方形仕切板は、１枚の略長方形の段ボールの長手方向を断面略正方形に折り曲げるとともに、長手方向の端部における短手方向の端部から端部まで設けた糊代に糊付けして接着したことを特徴とする避難所等に於ける段ボール製組立式多目的ボックスを提供するものである。
【０００９】
この構成により、ベッド、椅子、又は机など多目的に利用可能で、強度的に優れた段ボール製の多目的ボックスを実現することができる。
また、正方形仕切板の端部が折れ曲がることを防止して、さらに強度が向上した多目的ボックスとすることができる。
【００１２】
避難所等における段ボール製組立式多目的ボックスであって、当該多目的ボックスに収納した前記仕切板群上に天板を置いたときに、前記外枠内に前記天板が収まるとともに、前記天板の天面と前記外枠の天面とが略面一となる構成としてもよい。
【００１３】
この構成により、天面に出っ張りのないベッド、椅子、又は机として利用することができる。
【００１４】
避難所等に於ける段ボール製組立式多目的ボックスであって、上記いずれかに記載の多目的ボックスを複数並べ、前記複数の多目的ボックスの上にベッド用床板をおいてベッドとする構成としてもよい。
【００１５】
この構成により、容易にベッドを組み立てることができ、また容易に分解してコンパクトに折り畳むことができる。
【発明の効果】
【００１６】
本発明の避難所等に於ける段ボール製組立式多目的ボックスにより、強度的に優れたベッド、椅子、又は机など多目的に利用することができる。
【図面の簡単な説明】
【００１７】
【図１】本発明の実施例１における避難所等に於ける段ボール製組立式多目的ボックスを説明する図である。
【図２】本発明の実施例１における外枠を説明する図である。
【図３】本発明の実施例１における天板を持ち上げた避難所等に於ける段ボール製組立式多目的ボックスを説明する斜視図である。
【図４】本発明の実施例１における天板を設置した避難所等に於ける段ボール製組立式多目的ボックスを説明する斜視図である。
【図５】本発明の実施例１における避難所等に於ける段ボール製組立式多目的ボックスの各仕切板を説明する図である。
【図６】本発明の実施例１における避難所等に於ける段ボール製組立式多目的ボックスの仕切板群が形成する空間を説明する図である。
【図７】本発明の実施例１における避難所等に於ける段ボール製組立式多目的ボックスの荷重試験結果を示す図である。
【図８】本発明の実施例２におけるベッドを説明する図である。
【発明を実施するための形態】
【実施例１】
【００１８】
本発明の実施例１について、図１〜図７を参照して説明する。図１は、本発明の実施例１における避難所等に於ける段ボール製組立式多目的ボックスを説明する図であり、（ａ）は正面図、（ｂ）は右側面図、（ｃ）は左側面図、（ｄ）は上面図、（ｅ）は底面図、（ｆ）は正方形仕切板の接着部分を拡大した図である（天板の記載は省略している）。
図２は、本発明の実施例１における外枠を説明する図であり、（ａ）は正面図、（ｂ）は右側面図、（ｃ）は左側面図、（ｄ）は上面図、（ｅ）は底面図である。
図３は、本発明の実施例１における天板を持ち上げた避難所等に於ける段ボール製組立式多目的ボックスを説明する斜視図である。
図４は、本発明の実施例１における天板を設置した避難所等に於ける段ボール製組立式多目的ボックスを説明する斜視図である。
図５は、本発明の実施例１における各仕切板を説明する図であり、（ａ）は第１対角仕切板、（ｂ）は第２対角仕切板、（ｃ）は正方形仕切板を示す。
図６は、本発明の実施例１における避難所等に於ける段ボール製組立式多目的ボックスの仕切板群が形成する空間を説明する図である。
図７は、本発明の実施例１における避難所等に於ける段ボール製組立式多目的ボックスの荷重試験結果を示す図である。
【００１９】
実施例１における避難所等に於ける段ボール製組立式多目的ボックス（以下、「多目的ボックス」ともいう。）は、段ボールで構成された外枠１、仕切板群６、及び天板５からなっている。その外形は、幅約４４５ｍｍ×奥行約４４５ｍｍ×高さ約４００ｍｍの断面略正方形の直方体である。また、段ボールの厚みは、約５ｍｍである。外枠１は、略長方形の段ボールを折り曲げて断面略正方形にしたもので端部同士が接着されている。そして、図１、図２に示すように全周囲の側面を有し、天面及び底面が開放された断面略正方形をなす略立方体状である。天面及び底面が開放されているので、この天面又は底面から仕切板群６を挿入することができる。
【００２０】
仕切板群６は、天面視で外枠１における対向する対角間を仕切る断面直線の板状である第１対角仕切板２と、第１対角仕切板２とは別の対向する対角間を仕切る断面直線の板状である第２対角仕切板３と、外枠１の４側面をなす４辺の略中点同士と接して天面視で断面正方形の筒状をなす正方形仕切板４とを有している。
【００２１】
図５（ａ）に示すように、第１対角仕切板２は、略長方形の段ボールの長手方向を４等分した位置に短手方向の一方端部から他方の端部に向かって半分の長さだけスリット２１〜２３を形成している。また、図５（ｂ）に示すように、第２対角仕切板３は、略長方形の段ボールの長手方向中間位置に短手方向の他方端部から一方の端部に向かって半分の長さだけスリット３１を形成し、長手方向一方の端部から他方の端部に向かって１／４の位置に短手方向の一方端部から他方の端部に向かって半分の長さだけスリット３２を形成し、また、長手方向他方の端部から一方の端部に向かって１／４の位置に短手方向の一方端部から他方の端部に向かって半分の長さだけスリット３３を形成している。
【００２２】
また、図５（ｃ）に示すように、正方形仕切板４は、略長方形の長手方向の一方の端部に幅が約４０ｍｍの糊代４１を形成し、残りの長手方向の長さを４等分して折り目４２〜４５を設けるとともに、各折り目４２〜４５間の中間位置において短手方向の他方端部から一方の端部に向かって半分の長さだけスリット４６〜４９を形成している。また、第１対角仕切板２及び第２対角仕切板３の長手方向両端部であり短手方向一方の端部の交点、及び各スリットが形成された端部には円弧（Ｒ）が形成されていて、第１対角仕切板２、第２対角仕切板３、及び正方形仕切板４の組立を容易にしている。なお、スリット２１〜２３、３１〜３３、４６〜４９の幅は、段ボールの厚さである約５ｍｍとしてよい。
【００２３】
正方形仕切板４は、折り目４２〜４５で同じ方向にそれぞれ直角に折り曲げる。そして、端部同士を糊代４１にて糊付けして接着する（図１（ｆ）参照）。この状態で正方形仕切板４の断面は略正方向を有した筒状となる。そして、第１対角仕切板２のスリット２１に第２対角仕切板３のスリット３１を挿入して、断面Ｘ形状としスリット３１が形成された短手方向の他方の端部を上にしておく。つまり第１対角仕切板２のスリット２１〜２３は下に向いている。次に、筒状となった正方形仕切板４のスリット４６を上向きにした状態で、断面Ｘ形状となったスリット２２を、スリット４７にスリット３２を、スリット４８にスリット２３を、スリット４９にスリット３３を挿入して断面正方形及びＸ形状となった仕切板群６を組立てる。そして仕切板群６を外枠１に天面から挿入する。このとき、第１対角仕切板２の両端部は外枠１の対向する対角間の内寸にほぼ等しい長さであり、第２対角仕切板３の両端部は、第１対角仕切板２が挿入された外枠１の対角とは別の対向する対角間の内寸にほぼ等しい長さであることから、第１対角仕切板２及び第２対角仕切板３により外枠１の各角部は強度的に補強される。
【００２４】
この状態を図１（ｄ）、図３、及び図６に示す。外枠１と仕切板群６とで構成された空間の断面は、略正方形又は略二等辺三角形で構成されており、高い強度を有している。すなわち図６における空間Ａは断面略正方形、空間Ｂは略二等辺三角形となっており、それぞれ各スリットによりしっかりと噛み合っている。これにより、上からの荷重及び側方からの荷重に対して高い強度を有する。また、正方形仕切板４は、端部同士が接着されているため、上から荷重がかかっても端部が曲がったり歪んだりすることがなく、全体としてさらに高い強度を有する。
【００２５】
多目的ボックス１０は、天板５を載せることができる。外枠１に挿入された仕切板群６の上に段ボール製の天板５を載せることで、椅子又は机として利用することができる。このとき、天板５の天面と外枠１の天面とは略面一となるように、仕切板群６の高さが決められている。このため、椅子や机として利用する際に、出っ張りがなく快適に利用することができる。また、後述する段ボール製簡易組立ベッドとして利用するときも出っ張りがなく快適に利用することができる。
【００２６】
実施例１における多目的ボックス１０は、上述したように、外枠１と仕切板群６とで構成された空間の断面は、略正方形又は略二等辺三角形で構成されるとともに、正方形仕切板４の端部同士が接着されているため高い強度を有している。図７に上からの荷重試験をした結果を示す。図７の縦軸は荷重（Ｎ）を示し、横軸は歪量（ｍｍ）を示している。（ａ）は第１の多目的ボックス１０、（ｂ）は第２の多目的ボックス１０、（ｃ）は第３の多目的ボックス１０で行った試験結果を示している。（ａ）〜（ｃ）の３例とも８，５００Ｎ以上の最大荷重に耐えており（グラフのピーク点でクラッシュしている。）、最大荷重時の歪量は４．６〜４．８ｍｍである。この結果、椅子、机、及びベッドとして利用しても何ら問題のない強度が得られていることが実証された。
【００２７】
また、実施例１における多目的ボックス１０は、避難等の緊急時以外は、容易に分解してコンパクトにまとめることができる。つまり、正方形仕切板４、第１対角仕切板２、及び第２対角仕切板３を外枠１から取り外して折りたたんで、ほぼフラットにすることができる。また、正方形仕切板４、第１対角仕切板２、及び第２対角仕切板３をそれぞれのスリットから抜いてばらばらにし、正方形仕切板４は折り畳んでもよい。外枠１も折り畳み、天板５を含めて重ねると約４５０ｍｍ×９００ｍｍ×４０ｍｍにコンパクトに圧縮することができる。これにより、倉庫等で省スペースに保管することができる。
【００２８】
なお、実施例１においては、多目的ボックス１０の外形を断面略正方形の直方体としたが、必ずしもこれに限定されず適宜変更が可能である。例えば、断面略正方形としつつも高さを長くしてもよいし、短くしてもよく、断面が略正方形であれば、任意の高さとすることができる。
【００２９】
また、実施例１においては、外枠１の天面及び底面が開放された構造としたが、必ずしもこれに限定されず適宜変更が可能である。例えば、外枠１に底面を備えた構造としてもよい。その場合、底面の中間位置で開く観音扉形式にすれば折りたたんだときにコンパクトにまとめることができる。
【００３０】
また、実施例１においては、正方形仕切板４の端部同士を糊代４１にて糊付けして接着する構成としたが、必ずしもこれに限定されず適宜変更が可能である。例えば、端部同士を糊代４１にてホッチキス等の任意の接着手段にて接着してもよい。また、糊代４１を設けずに端部同士を接着してもよい。
【００３１】
このように、実施例１においては、避難所等に於ける段ボール製組立式多目的ボックスであって、
全周囲の側面を有し、天面及び底面が開放された断面略正方形の外枠と、
天面視で該外枠内を略正方形及び略二等辺三角形の空間に仕切る段ボール製の仕切板群と、を備え、
前記仕切板群は、天面視で前記外枠における対向する対角間を仕切る断面直線の板状である第１対角仕切板と、前記第１対角仕切板とは別の対向する対角間を仕切る断面直線の板状である第２対角仕切板と、前記外枠の４側面をなす４辺の略中点同士と接して天面視で断面略正方形の筒状をなす正方形仕切板とを有し、
前記第１対角仕切板、前記第２対角仕切板、及び前記正方形仕切板は、それぞれスリットにより噛み合わせて前記仕切板群に組立可能であり、また、各仕切板に分解可能であり、
前記正方形仕切板は、１枚の略長方形の段ボールの長手方向を断面略正方形に折り曲げるとともに、長手方向の端部における短手方向の端部から端部まで設けた糊代に糊付けして接着したことを特徴とする避難所等に於ける段ボール製組立式多目的ボックスにより、強度的に優れたベッド、椅子、又は机など多目的に利用することができる。
【実施例２】
【００３２】
本発明の実施例２は、多目的ボックスを複数使用してベッドとして利用する点で実施例１と異なっている。図８を参照して実施例２について説明する。図８は、本発明の実施例２におけるベッドを説明する図である。
【００３３】
実施例２におけるベッド１００は、図８に示すように、多目的ボックス１０を２列４行に８個並べている。そして、上からベッド用床板１１０を載せた構造である。ベッド用床板１１０は段ボールからなる平板であるが、これに限定されず適宜変更が可能である。例えば、木製の平板でもよいし、弾力のあるマットレスで構成してもよい。
【００３４】
ベッド１００は、幅約４４５ｍｍ×奥行約４４５ｍｍの多目的ボックス１０を２×４個並べれば、ふくらみを考慮すると、平面サイズが約９５０ｍｍ×約１，９００ｍｍの大きさとなる。これは、避難所における一人当たりのスペースである２ｍ×２ｍに十分収納できるサイズであり、また容易に組立てや分解が可能であり、避難所で利用するベッドとして最適である。
【００３５】
なお、実施例２においては、多目的ボックス１０を２×４個並べる構成としたが、必ずしもこれに限定されず適宜変更が可能である。例えば、３×４個並べてもよいし、４×４個や４×５個としてもよく、任意の個数を並べて利用することができる。
【００３６】
このように、実施例２においては、多目的ボックスを複数並べ、前記複数の多目的ボックスの上にベッド用床板をおいてベッドとすることを特徴とする段ボール製簡易組立ベッドにより、容易にベッドを組み立てることができ、また容易に分解してコンパクトに折り畳むことができる。
【産業上の利用可能性】
【００３７】
本発明における避難所等に於ける段ボール製組立式多目的ボックス、及びベッドは、緊急時の避難の分野に広く用いることができる。
【符号の説明】
【００３８】
１：外枠    ２：第１対角仕切板    ３：第２対角仕切板    ４：正方形仕切板    
５：天板    ６：仕切板群    
１０：多目的ボックス    
２１：第１対角仕切板第１スリット    ２２：第１対角仕切板第２スリット    
２３：第１対角仕切板第３スリット    
３１：第２対角仕切板第１スリット    ３２：第２対角仕切板第２スリット    
３３：第２対角仕切板第３スリット    
４１：糊代    
４２：第１折り目    ４３：第２折り目    
４４：第３折り目    ４５：第４折り目    
１００：ベッド    
１１０：ベッド用床板    
【要約】
【課題】ベッド、椅子、又は机など多目的に利用可能で、強度的に優れた段ボール製の多目的ボックスを実現することを課題とする。
【解決手段】全周囲の側面を有し、天面及び底面が開放された断面略正方形の外枠１と、天面視で該外枠１内を略正方形Ａ及び略正三角形Ｂの空間に仕切る段ボール製の仕切板群６と、を備え、前記仕切板群は、天面視で前記外枠における対向する対角間を仕切る断面直線の板状である第１対角仕切板と、前記第１対角仕切板とは別の対向する対角間を仕切る断面直線の板状である第２対角仕切板と、前記外枠の側面をなす各辺の略中点同士と接して天面視で断面正方形の筒状をなす正方形仕切板とを有し、前記第１対角仕切板、前記第２対角仕切板、及び前記正方形仕切板は、それぞれスリットにより噛み合わせて組立可能であり、また分解可能であることを特徴とする避難所等に於ける段ボール製組立式多目的ボックスとした。
【選択図】図３【図１】
0006955737.tif 000002
【図２】
0006955737.tif 000003
【図３】
0006955737.tif 000004
【図４】
0006955737.tif 000005
【図５】
0006955737.tif 000006
【図６】
0006955737.tif 000007
【図７】
0006955737.tif 000008
【図８】
0006955737.tif 000009